(57)【要約】【課題】ねじ山の修正能力が高く、かつ技術的な熟練を要することなくピッチが大きくねじ山の大きさが大きい被修正ねじを修正する時でも、容易にねじ山修正を行うことができるねじ山修正器を提供する。【解決手段】被修正ねじのねじ山間と同じ形状で、同一直線上に形成された修正刃９の刃先１０の二点が被修正ねじのねじ溝に噛み合う二枚のねじ山修正刃８と、被修正ねじに当接させ、二枚のねじ山修正刃８との間で被修正ねじを挟み込む当接手段３とを備えており、二枚のねじ山修正刃８を被修正ねじの中心軸と直交する軸を中心に回動可能かつ変位可能に配置することで、二枚のねじ山修正刃８が被修正ねじのねじ溝に噛み合う角度と位置を、被修正ねじのリード角とビッチに合わせることが可能であり、被修正ねじ又はねじ山修正器１を回転させることによって、破損したねじ山を修正する事が出来ることを特徴とするねじ山修正器。【選択図】図１
2016165754.tif 000002
【特許請求の範囲】
【請求項１】
破損したねじのねじ山を修正するねじ山修正器であって、
二枚の同一直線上の二点が被修正ねじのねじ溝に噛み合う修正刃を有するねじ山修正刃と、
被修正ねじに当接させ、前記ねじ山修正刃との間で被修正ねじを挟み込む当接手段とを備えており、
二枚の前記ねじ山修正刃又は前記当接手段は、被修正ねじの中心軸と直交する軸を中心に回動可能かつ変位可能であり、
前記被修正ねじ又は前記ねじ山修正器を回転させることによって、破損したねじ山を修正する事が出来ることを特徴とするねじ山修正器。
【発明の詳細な説明】
【技術分野】
【０００１】  本発明は、破損したねじのねじ山を元通りのねじ山に近づけて修正するねじ山修正器に関する。
【背景技術】
【０００２】  部材同士をねじで固定している構造体においては、ねじ単体を取り外して交換可能な構造のものもあるが、ねじが構造体と一体となっており、ねじ単体を交換できない構造のものもある。ねじ単体を交換できない構造では、ねじ山が破損した場合、破損部分はねじ単体のみであるにもかかわらず、構造体全体を交換せざるを得ない事態が生じることになる。【０００３】  このため、簡単な作業で、破損したねじ山を修正可能なねじ山修正器が望まれていた。例えば下記特許文献１に記載のねじ山修正器は、ねじ単体が構造体と一体になった状態でねじ山修正が可能であり、被修正ねじのねじピッチに合わせた複数刃を有するねじ山修正刃とガイドローラーとの間に被修正ねじを挟み、被修正ねじ又はねじ山修正器を回転させながら破損したねじ山を修正するというものであった。
【先行技術文献】
【特許文献】
【０００４】
【特許文献１】特開２０１２−１０１２７８号公報
【発明の概要】
【発明が解決しようとする課題】
【０００５】  しかしながら、実機確認を行ったところ、特許文献１のねじ山修正器は、ピッチが小さくねじ山の大きさが小さい被修正ねじを修正する場合には高い修正能力が有るが、ピッチが大きくねじ山の大きさが大きい被修正ねじを修正する場合は、強く挟むと回転困難になる。
このため、特許文献１のねじ山修正器でピッチが大きくねじ山の大きさが大きい被修正ねじを修正する場合には、ねじ山の破損状態に合わせて被修正ねじを挟む圧力を調整しながら、少しずつ破損したねじ山を削り取って修正する必要があるために、特許文献１のねじ山修正器でピッチが大きくねじ山の大きさが大きい被修正ねじを修正するには技術的な熟練を要するので、誰でも簡単にねじ修正ができるというものではなかった。【０００６】  本発明は、前記のような従来の問題を解決するものであり、ピッチが大きくねじ山の大きさが大きい被修正ねじを修正する時にも、ねじ山の修正能力が高く、技術的な熟練を要することなく容易にねじ山修正を行うことができるねじ山修正器を提供することを目的とする。
【課題を解決するための手段】
【０００７】  特許文献１のねじ山修正器では、ねじ山修正刃を被修正ねじの中心線と平行にねじ山修正刃を当接させ、複数の修正刃の刃先をねじの回転による進行方向に直交させることにより被修正ねじのねじ山の谷間のリード角を修正刃の切り込み角として破損部分の切削に利用していたが、被修正ねじのピッチが大きくリード角が大きいと修正刃の切り込み角が深くなり過ぎる為と、ピッチが大きくねじ山の大きさが大きい被修正ねじのねじ山の破損部分を複数の修正刃で複数か所を同時に押し切って修正するのが困難になるために回転困難になると考えられる。【０００８】前記目的を達成するために、本発明のねじ山修正器は、二枚の同一直線上の二点が被修正ねじのねじ溝に噛み合う修正刃を有するねじ山修正刃と、
被修正ねじに当接させ、ねじ山修正刃との間で被修正ねじを挟み込む当接手段とを備えており、
二枚のねじ山修正刃又は当接手段は、被修正ねじの中心軸と直交する軸を中心に回動可能かつ変位可能であり、
被修正ねじ又はねじ山修正器を回転させることによって、破損したねじ山を修正する事が出来ることを特徴とする。【０００９】  この構成によれば、ピッチが大きくねじ山の大きさが大きい被修正ねじのねじ山を修正する時にも、二枚の同一直線上の二点が被修正ねじのねじ溝に噛み合う修正刃を有するねじ山修正刃により、被修正ねじのねじ山の破損部分を二か所ずつ元の位置に押し戻し、塑性変形により修正する事が出来るので、ねじ山の大きさが大きい被修正ねじのねじ山の破損部分を複数の修正刃で複数か所を同時に押し切って修正する場合よりも被修正ねじを強く挟んでも、被修正ねじを無理なく回すことができるので、技術的な熟練を要することなく容易にねじ修正を行うことができる。
【発明の効果】
【００１０】  本発明によれば、二枚のねじ山修正刃の角度を被修正ねじのリード各にあわせた角度で被修正ねじのねじ溝に噛み合う様に調整できるので、ピッチが大きくねじ山の大きさが大きい被修正ねじのねじ山修正が円滑になるとともに、
二枚の同一直線上の二点が被修正ねじのねじ溝に噛み合う修正刃を有するねじ山修正刃のねじ溝に噛み合った修正刃の側面により、ねじ山の大きさが大きい被修正ねじの変形したねじ山の破損部分を二か所ずつ元の位置に押し戻し、塑性変形により修正する事が出来るので、ねじ山の大きさが大きい被修正ねじのねじ山の破損部分を複数の修正刃で複数か所を同時に押し切って修正するよりも修正能力が高まる。
このことにより、ピッチが大きくねじ山の大きさが大きい被修正ねじのねじ山を修正する時も被修正ねじを強く挟んでも、被修正ねじを無理なく回すことができるので、技術的な熟練を要することなく容易にねじ修正を行うことができる。
【図面の簡単な説明】
【００１１】
【図１】本発明の一実施形態に係るねじ山修正器の斜視図。
【図２】図１に示したねじ山修正器に被修正ねじを装着した状態を示す斜視図。
【図３】図１に示したねじ山修正器の側面図。
【図４】図１に示したねじ山修正器の平面図。
【図５】図２に示したねじ山修正器を用いたねじ山修正時の要部を示す側面概略図。
【図６】図２に示したねじ山修正器を用いたねじ山修正時の要部を示す正面概略図。
【図７】本発明の一実施形態で当接手段側を回動自在に配置したねじ山修正器の斜視図。
【発明を実施するための形態】
【００１２】  以下、本発明の一実施形態に係るねじ山修正器について、図面を参照しながら説明する。本実施形態に係るねじ山修正器は、被修正ねじ（ねじ山の一部が破損したねじ）を装着し、被修正ねじ１４又はねじ山修正器１を回転させながら、破損したねじのねじ山を元通りのねじ山に近づけて修正する器具である。
図１は、本発明の一実施形態に係るねじ山修正器１の斜視図、図２は、本発明のねじ山修正器１に、修正対象である被修正ねじ１４を装着した状態を示す斜視図、図３は、本発明のねじ山修正器１の側面図、図４は、本発明のねじ山修正器１の平面図、図５は、本発明のねじ山修正器１を用いたねじ山修正時の要部を示す側面概略図、図６は、本発明のねじ山修正器１を用いたねじ山修正時の要部を示す正面概略図、図７は、本発明の一実施形態で当接手段側を回動自在に配置したねじ山修正器の斜視図である。
【００１３】  図１に示したように、本体２には被修正ねじへの当接手段であるガイドローラー３が軸４を介して回転可能に取り付けられている。本体２に内蔵された圧力調整ねじ５は本体２及び回動可能の移動支持片６に螺合している。
内蔵された圧力調整ねじ５は圧力調整ノブ７と一体になっており、回動可能の移動支持片６には二枚のねじ山修正刃８が取り付け軸１３により変位可能かつ回動可能に取り付けらている。
図１の圧力調整ノブ７を回転させることにより、これと一体の内蔵された圧力調整ねじ５が回転する。この回転方向に応じて、回動可能の移動支持片６はスライドしながら前進又は後退し、回動可能の移動支持片６に取り付け軸１３により変位可能かつ回動可能に取り付けられた二枚のねじ山修正刃８も前後に直線移動する。
このことにより、ねじ山修正刃８とガイドローラー３との間の間隔調整が可能になる
【００１４】  図２には、ねじ山修正器１に、修正対象である被修正ねじ１４を装着した状態を示す斜視図である。
あらかじめ、二枚のねじ山修正刃８とガイドローラー３との間隔を被修正ねじ１４の直径より大きくした状態で、ねじ山修正刃８とガイドローラー３との間に被修正ねじ１４を配置し、圧力調整ノブ７を回転させることにより、被修正ねじ１４は二枚のねじ山修正刃８とガイドローラー３とで押圧された状態で保持され回転固定ねじ１２を締めることで、回動可能の移動支持片６に取り付けられた二枚のねじ山修正刃８の被修正ねじ１４のねじ溝に噛み合う角度が固定できる。
本体２に螺合している回転固定ねじ１２は被修正ねじ１４の修正操作時に回動可能の移動支持片６を固定し、ねじ修正が安定して行えるようにする。
この状態で被修正ねじ１４又はねじ山修正器１を回転させることにより、被修正ねじ１４のねじの破損部分１５がねじ溝に噛み合った二枚のねじ山修正刃８の修正刃９の側面１１によって、元の状態に向けて押し戻されるようになり、被修正ねじ１４のねじ山の破損部分を塑性変形により元通りの位置に修正する事ができる。
【００１５】  図３は、本発明のねじ山修正器１の側面図、図４は、本発明のねじ山修正器１の平面図である。
図５は、二枚の同一直線上で修正刃９の刃先１０の二点が被修正ねじ１４のねじ溝に噛み合うねじ山修正刃８とガイドローラー３で被修正ねじ１４を押圧した状態の側面概略図を示している。
被修正ねじ１４は、ねじ山修正器１に配置された二個のガイドローラー３と二枚のねじ山修正刃８によって押圧される事で、被修正ねじ１４又はねじ山修正器１を回転させても常に安定してねじ山修正器１に対して直角方向に維持された状態になっており、回動可能の移動支持片６に取り付け軸１３により変位可能かつ回動可能に取り付けられた二枚ののねじ山修正刃８は被修正ねじ１４のねじ溝に噛み合う角度が任意に回転固定ねじ１２によって固定できるので、二枚のねじ修正刃８の刃先１０を被修正ねじ１５のねじ山間のねじ溝のリード角に合わせて、回転固定ねじ１２によって固定して被修正ねじ１４のねじ山間の谷間に噛み合わせた状態を示している。
被修正ねじ１４は、ねじ山修正器１に配置された二個のガイドローラー３と二枚のねじ山修正刃８によって押圧される事で、被修正ねじ１４又はねじ山修正器１を回転させても被修正ねじ１４は常に安定してねじ山修正器１に対して直角方向に維持された状態になっており、二枚のねじ修正刃８の修正刃９の刃先１０は被修正ねじ１４のねじ山間のねじ溝に、それぞれが二点で噛み合う形状に形成されているので、修正刃９の刃先１０のどちらか一方の修正刃９の刃先１０が被修正ねじ１４のねじ山の破損部分１５に接しても、二点で噛み合っている他方の被修正ねじ１４のねじ溝に噛み合った修正刃９の刃先１０がガイドになるので、被修正ねじ１４のねじ山の破損部分１５に接した側の修正刃９の刃先１０も元通りの正確なねじ溝のリード角に合わせた角度を維持できるので、破損して変形した被修正ねじ１４のねじ山の破損部分１５は、ねじ修正刃８の修正刃９の側面１１によって、元の状態に向けて押し戻されるようになり、被修正ねじ１４のねじ山の破損部分を塑性変形により元通りの位置に修正する事ができる。
【００１６】  図６は、同一直線上に形成された修正刃９の刃先１０の二点が被修正ねじ１４のねじ溝に噛み合う二枚のねじ山修正刃８とガイドローラー３で被修正ねじ１４を押圧した状態の正面概略図を示している。
被修正ねじ１４は、ねじ山修正器１に配置された二個のガイドローラー３と二枚のねじ山修正刃８によって押圧される事で、被修正ねじ１４を回転させても常に安定してねじ山修正器１に対して直角方向に維持された状態になっており、回動可能の移動支持片６に取り付け軸１３により変位可能かつ回動可能に取り付けられた二枚のねじ山修正刃８は、被修正ねじ１４のリード角に応じてねじ溝に接する角度が任意に回動可能の移動支持片６によって回動した位置で回転固定ねじ１２によって固定でき、それぞれが被修正ねじ１４のピッチに応じて、ねじ山修正刃８の刃幅の中心線上に開けられた取り付け穴によって取り付け軸１３に沿ってスライドして変移しながら回動することができる様に配置されており、回動可能の移動支持片６が被修正ねじの中心軸と直交する軸を中心に回動することにより被修正ねじの中心線１７とねじ山修正刃取り付け軸の中心線１６の角度が被修正ねじ１４のリード角に応じて回動した位置にずれても、ねじ山修正器１に配置された二個のガイドローラー３と二枚のねじ山修正刃８によって被修正ねじ１４を押圧すれば、自然に二枚のねじ山修正刃８のねじ修正刃９の刃先１０の四箇所全てを被修正ねじ１４のリード角とピッチに応じたねじ溝に噛み合わせることが出来るので、二枚のねじ山修正刃８のねじ修正刃９の刃先１０を被修正ねじ１４のねじ溝に噛み合わせた状態を示している。
回動可能の移動支持片６に取り付け軸１３により変位可能かつ回動可能に取り付けられた二枚のねじ山修正刃８は、ピッチが大きくねじ山の大きさが大きい被修正ねじ１４のねじ山を修正する時も、被修正ねじ１４のねじ溝に噛み合う修正刃９の側面１１により、破損部分１５が複数のねじ山に形成された被修正ねじ１４のねじ山の破損部分を二か所ずつ塑性変形により元通りの位置に押し戻して修正する事が出来るので、ねじ山の大きさが大きい被修正ねじ１４のねじ山の破損部分を複数の修正刃で複数か所を同時に押し切って修正する場合よりも被修正ねじ１４を無理なく回すことができるのでピッチが大きくねじ山の大きさが大きい被修正ねじのねじ山修正がより円滑になるとともに、修正能力も高まる。
【００１７】  図７は、本発明の一実施形態で当接手段である二個のガイドローラー３を回動可能の移動支持片６に配置したねじ山修正器の斜視図であり、本体２に取り付け軸１３により変位可能かつ回動可能に取り付けられた二枚のねじ山修正刃８に対して二個のガイドローラー３は回動可能の移動支持片６と一体になっており、回動可能の移動支持片６はスライドしながら前進又は後退し、回動可能の移動支持片６と一体の二個のガイドローラー３も前後に直線移動する。このことにより、二枚のねじ山修正刃８とガイドローラー３との間の間隔調整が可能になる。
【００１８】  以上実施例について詳細に説明したが、本発明はこのような実施例に限定されるものではなく、細部の構成、形状、配置、素材等において本発明の要旨を逸脱しない範囲において任意に変更実施できる。
【符号の説明】
【００１９】１  ねじ山修正器
２  本体
３  ガイドローラー（当接手段）
４  軸
５  圧力調整ねじ
６  移動支持片
７  圧力調整ノブ
８  ねじ山修正刃
９  修正刃
１０  刃先
１１  修正刃の側面
１２  回転固定ねじ
１３  ねじ山修正刃取り付け軸
１４  被修正ねじ
１５  被修正ねじの破損部分
１６  ねじ山修正刃取り付け軸の中心線
１７  被修正ねじの中心線
【図１】
2016165754.tif 000003
【図２】
2016165754.tif 000004
【図３】
2016165754.tif 000005
【図４】
2016165754.tif 000006
【図５】
2016165754.tif 000007
【図６】
2016165754.tif 000008
【図７】
2016165754.tif 000009